(57)【要約】【課題】走行体の下の走行台に表示装置を設けて、機器の投影面積を増やすこと無く大きなサイズの表示装置を付けることができ、ユーザーにとってより見やすい情報表示を可能にする画像読み取り装置を提供することにある。【解決手段】コンタクトガラス３の下を走行体４が移動する画像読み取り装置Ａにおいて、前記走行体４の下の走行台９に表示装置１０を有することを特徴とする。【選択図】        図１
2004266685.tif 000002
【特許請求の範囲】
【請求項１】
原稿を載置するコンタクトガラスと、該コンタクトガラスの下方に位置する走行台と、イメージセンサを備え且つ該走行台上を移動する走行体とを備えた画像読み取り装置において、前記走行台に表示装置を配置したことを特徴とする画像読み取り装置。
【請求項２】
前記走行台上に、情報シートを保持する情報シート保持台を設けたことを特徴とする請求項１記載の画像読み取り装置。
【請求項３】
前記情報シート保持台と、前記走行台に設けられて該情報シート保持台を支持する支持部と、を備えたことを特徴とする請求項２記載の画像読み取り装置。
【請求項４】
請求項１〜３に記載の画像読み取り装置を有する画像形成装置。
【発明の詳細な説明】
【０００１】
【発明の属する技術分野】
本発明は、スキャナ、複合型プリンタ（ＭＦＰ）、複写機、ファクシミリ等に使用可能な省スペース化を図った画像読み取り装置に関するものである。
【０００２】
【従来の技術】
画像読み取り装置においてコンタクトガラスと走行体の間に液晶表示装置を設けることが知られている（例えば、特許文献１参照）。
図３は従来の画像読み取り装置を示す概略斜視図である。図４は原稿を付加して示す図３の線Ｉ−Ｉに沿う概略断面図である。図３および図４において画像読み取り装置は筐体の上部に設けられた原稿１がセットされるコンタクトガラス３を備えている。
画像読み取り装置は、さらに、コンタクトガラス３の下方の筐体内に配置されて移動するとともに原稿に光を照射する光源やミラー等を搭載する走行体４と、原稿で反射されミラー等を介して導入された光を光電変換する変換素子（イメージセンサユニット）５と、を備え、走行体４をモータにより駆動して原稿の画像の読み取りを行う。
すなわちコンタクトガラス３上に原稿１がセットされてスタート信号が入るとモータ１６が作動して走行体４を駆動し、この走行体４上の光源からコンタクトガラス３上の原稿１に光が照射される。
原稿１で反射された光は、走行体４上のミラーにより反射されて光電変換素子に導入され、光電変換されて読み取られる。ここで走行台９は、その上方を走行体４が移動するということから従来においては積極的な活用がなされていなかった。
また、ある程度の占有面積を必要とする各種情報表示用の表示装置は省スペース化をはかるためにどうしても最小限の大きさになってしまい、ユーザーにとって見ずらいものになっていた。
特許文献１ではコンタクトガラス３と走行体４との間に液晶表示装置を設けることが記載されているが、液晶パネルを通しての読み取りとなるため、読み取り画像への影響を無くすための技術的課題（液晶パネル自体がガラスに近い光透過率を持たなくてはならない等）が大きく現実的ではない。
また、メンテナンス担当者や営業担当者の名刺などは機器の外装面に貼り付けてあることが多く、見映えが悪く審美的に劣り、さらにすぐに紛失してしまうこともあった。簡易操作マニュアル等も、また、ユーザーは置き場所に困り、紛失してしまうこともあった。
【特許文献１】特開平０７−１８４００５号公報
【０００３】
【発明が解決しようとする課題】
しかしながら、上記従来技術には、重要な課題としてコンタクトガラスの下を走行体が移動する画像読み取り装置やこれを有する画像形成装置における省スペース化がある。
機器の設置スペースや部分的な突き出しを少なくするためにある程度の占有面積を必要とする表示装置などはどうしても最小限のサイズにする傾向がある。一方ユーザーへより分り易い情報を提示するためには表示装置は大きい方が見やすくユーザーにとって好まれるという矛盾があった。
そこで本発明の目的は、上記の問題点を解決するために、走行体の下の走行台に表示装置を設けて、機器の投影面積を増やすこと無く大きなサイズの表示装置を付けることができ、ユーザーにとってより見やすい情報表示を可能にする画像読み取り装置を提供することにある。
【０００４】
【課題を解決するための手段】
前記の課題を解決するために、請求項１記載の発明では、原稿を載置するコンタクトガラスと、該コンタクトガラスの下方に位置する走行台と、イメージセンサを備え且つ該走行台上を移動する走行体とを備えた画像読み取り装置において、前記走行台に表示装置を配置したことを特徴とする。
請求項２の発明は、請求項１において、前記走行台上に、情報シートを保持する情報シート保持台を設けたことを特徴とする画像読み取り装置。
請求項３の発明は、請求項２において、前記情報シート保持台と、前記走行台に設けられて該情報シート保持台を支持する支持部と、を備えたことを特徴とする。
請求項４記載の発明では、請求項１〜３に記載の画像読み取り装置を有する画像形成装置を主要な特徴とする。
【０００５】
【発明の実施の形態】
以下、図面により本発明の実施の形態を詳細に説明する。図１は本発明による画像読み取り装置の実施の形態を示す概略斜視図である。図２は原稿を付加して示す図１の線ＩＩ−ＩＩに沿う概略断面図である。
図１および図２において、画像読み取り装置は、本体ケース２、原稿１がその上に載置されるコンタクトガラス３、密着イメージセンサユニット５、スプリング６、保持ケース７、案内コロ８を搭載した走行体４、走行体４がその上に載置する走行台９およびガイドシャフト１３を含んでいる。
走行体４はスキャナワイヤ１４、このスキャナワイヤ１４をそれらの間に懸架するプーリ１５ａおよび１５ｂ、およびモータ１６からなる駆動装置によって走行台９上で駆動される。
図１および図２の画像読み取り装置には、さらに、走行台９に設けられた表示装置１０、情報シート１１、情報シート１１を保持する情報シート保持台１２、この情報シート保持台１２を支持する支持部１７が設けられる。
走行台９に設けられた表示装置１０は、ユーザーがコンタクトガラス３を通してこの表示装置１０に表示される情報を見ることができるように構成される。この表示装置１０は液晶表示装置やＬＥＤ表示装置等からなっている。これらの表示装置１０は図示していない制御装置により表示制御されている。
この制御装置により走行体４が読み取り状態になったときには表示装置１０のライトを消す等の制御も入っている。この制御により読み取り時の表示装置１０からの光を外乱光として受けなくなり、読み取り画像不良の発生を防ぐことができる。
【０００６】
さらに図示していない原稿圧板（コンタクトガラス３の上面に位置し、原稿１はコンタクトガラス３とこの原稿圧板の間に位置する）の開閉を検知する検知手段もあり、この検知手段は原稿圧板が閉じていると検知したときには表示装置１０の表示（ライト）を消すという制御も入っている。
これにより原稿圧板が閉じていてユーザーが表示装置１０を見ることができない状態での無駄な表示を無くすことができ、消費電力を削減できる。
また、走行台９に名刺や簡易マニュアル等の情報シート１１を支持するように構成されている。ユーザーはコンタクトガラス３を通してこの情報シート１１に表示された情報を見ることができる。
図２に示すごとく、情報シート保持台１２に情報シート１１が取り付けられ、情報シート保持台１２が走行台９の支持部１７に支持されており、この構成によって容易に情報シート１１の交換が可能になる。
【０００７】
【発明の効果】
以上説明したように、請求項１によれば、走行体の下の走行台に表示装置を設けたので、機器の投影面積を増やすこと無く大きなサイズの表示装置を付けることができ、ユーザーにとってより見やすい情報表示ができる。
請求項２によれば、従来何も無かった走行台に名刺や簡易操作マニュアル等の情報シートの取り付け支持部を設けたので、情報シートがここに支持され、よってそれらを紛失することも無く、機器の外観の見映えも良くすることができる。請求項３によれば、情報シートを保持する情報シート保持台と、走行体の下の走行台にこの保持台を支持する支持部を設けたので、この保持台ごと情報シートを取り出し、情報シートを載せ換えて再び走行台の支持部に設置することができ、情報シートを容易に交換することが容易になる。
請求項４によれば、請求項１〜３に記載の画像読み取り装置を有するので、機器の投影面積を増やすこと無く大きなサイズの表示装置を付けることができ、ユーザーにとってより見やすい情報表示ができる画像形成装置を提供できる。
【図面の簡単な説明】
【図１】本発明による画像読み取り装置の実施の形態を示す概略斜視図である。
【図２】原稿を付加して示す図１の線ＩＩ−ＩＩに沿う概略断面図である。
【図３】従来の画像読み取り装置を示す概略斜視図である。
【図４】原稿を付加して示す図３の線Ｉ−Ｉに沿う概略断面図である。
【符号の説明】
１  原稿、２  本体ケース、３  コンタクトガラ、４  走行体、９  走行台、１０  表示装置、１１  情報シート、１２  情報シート保持台、１７  走行台の支持部
【図１】
2004266685.tif 000003
【図２】
2004266685.tif 000004
【図３】
2004266685.tif 000005
【図４】
2004266685.tif 000006